(57)【要約】【課題】肌の血行を促進する美容装置を提供する。【解決手段】美容装置は、ハンドル１０と、等方性高密度黒鉛から形成されハンドル１０に支持される一対のボール１３Ａ、１３Ｂと、ボール１３Ａを予め設定された基準温度以上の温度まで加熱するヒータ１３１と、を備える。また、美容装置は、電池１１１と、電池１１１からの電力供給を受けてヒータ１３１を駆動するヒータ駆動回路と、を更に備える。そして、ヒータ１３１は、ＰＴＣサーミスタから構成されている。【選択図】図１
2018038890.tif 000002
【特許請求の範囲】
【請求項１】
ハンドルと、
等方性高密度黒鉛から形成され前記ハンドルに支持され肌に接触する複数の接触部と、を備え、
前記複数の接触部は、それぞれ前記ハンドルに回転自在に支持され、
前記複数の接触部それぞれの表面に、少なくとも１つの溝が設けられ、
前記少なくとも１つの溝は、前記接触部と前記接触部の回転軸との２つの交点の一方から他方に向かって延長されている、
美容装置。
【請求項２】
ハンドルと、
炭素粉末と樹脂とを含む複合材料から形成され前記ハンドルに支持され肌に接触する複数の接触部と、を備え、
前記複数の接触部は、それぞれ前記ハンドルに回転自在に支持され、
前記複数の接触部それぞれの表面に、少なくとも１つの溝が設けられ、
前記少なくとも１つの溝は、前記接触部と前記接触部の回転軸との２つの交点の一方から他方に向かって延長されている、
美容装置。
【請求項３】
ハンドルと、
等方性高密度黒鉛から形成され前記ハンドルに支持され肌に接触する複数の接触部と、を備え、
前記接触部の表面に、窪み部分が形成され、
前記窪み部分の内側のみに、人工酵素を主成分とする消臭材が吸着している、
美容装置。
【請求項４】
ハンドルと、
炭素粉末と樹脂とを含む複合材料から形成され前記ハンドルに支持され肌に接触する複数の接触部と、を備え、
前記接触部の表面に、窪み部分が形成され、
前記窪み部分の内側のみに、人工酵素を主成分とする消臭材が吸着している、
美容装置。
【請求項５】
ハンドルと、
等方性高密度黒鉛から形成され前記ハンドルに支持され肌に接触する複数の接触部と、を備え、
前記接触部の表面に、凹凸または突起が形成されている、
美容装置。
【請求項６】
ハンドルと、
炭素粉末と樹脂とを含む複合材料から形成され前記ハンドルに支持され肌に接触する複数の接触部と、を備え、
前記接触部の表面に、凹凸または突起が形成されている、
美容装置。
【請求項７】
前記接触部の表面は、銀イオンを坦持した無機イオン交換体からなる銀系無機抗菌剤が分散された材料の膜で覆われている、
請求項１から６のいずれか１項に記載の美容装置。
【発明の詳細な説明】
【技術分野】
【０００１】
本発明は、美容装置に関する。
【背景技術】
【０００２】
ハンドルと当該ハンドルの一端に設けられた一対のボールとを備え、一対のボールの回転軸が互いに交差している美容器が提案されている（例えば特許文献１）。この美容器は、一対のボールを肌に押し当てた状態で肌の表面上を往復されることにより、肌の押圧と摘まみ上げを繰り返し行う。これにより、肌のマッサージ効果がなされ、肌の血行が促進される。
【先行技術文献】
【特許文献】
【０００３】
【特許文献１】特開２００９−１４２５０９号公報
【発明の概要】
【発明が解決しようとする課題】
【０００４】
特許文献１に記載された美容器は、単に肌の押圧と摘まみ上げを繰り返し行うだけであり、肌の血行を促進させるという観点からある程度の効果は得られるが十分な血行促進効果が得られない虞がある。
【０００５】
本発明は、上記事由に鑑みてなされたものであり、肌の血行を促進する美容装置を提供することを目的とする。
【課題を解決するための手段】
【０００６】
上記目的を達成するために、本発明に係る美容装置は、
ハンドルと、
等方性高密度黒鉛から形成され前記ハンドルに支持され肌に接触する複数の接触部と、を備え、
前記複数の接触部は、それぞれ前記ハンドルに回転自在に支持され、
前記複数の接触部それぞれの表面に、少なくとも１つの溝が設けられ、
前記少なくとも１つの溝は、前記接触部と前記接触部の回転軸との２つの交点の一方から他方に向かって延長されている。
【発明の効果】
【０００７】
本発明によれば、接触部が等方性高密度黒鉛から形成されている。これにより、接触部を肌に押し当てた状態で肌の表面上を往復させることにより、接触部から放射される遠赤外線により肌を温めながら肌のマッサージを行うことができる。従って、肌の血行を促進する効果を高めることができる。
【図面の簡単な説明】
【０００８】
【図１】本発明の実施の形態１に係る美容装置の斜視図である。
【図２】実施の形態１に係る美容装置の一部断面図である。
【図３】本発明の実施の形態２に係る美容装置の斜視図である。
【図４】実施の形態２に係る美容装置の一部断面図である。
【図５】本発明の実施の形態３に係る美容装置の一部断面図である。
【図６】実施の形態３に係る美容装置の回路図である。
【図７】本発明の実施の形態４に係る美容装置の一部断面図である。
【図８】実施の形態４に係る美容装置の一部の斜視図である。
【図９Ａ】実施の形態５に係る美容装置の斜視図である。
【図９Ｂ】実施の形態５に係るボールの表面の拡大図である。
【図１０】変形例に係る美容装置の斜視図である。
【図１１】変形例に係る美容装置の斜視図である。
【発明を実施するための形態】
【０００９】
（実施の形態１）
以下、本発明の実施の形態について図面を参照しながら説明する。本実施の形態に係る美容装置は、肌にボール（接触部）を押し当てた状態で肌の表面上を往復させることにより、肌の押圧と摘まみ上げを繰り返し行う。これにより、肌のマッサージを行うことができるというものである。
【００１０】
この美容装置は、図１に示すように、ハンドル１０と、一対のボール１３Ａ、１３Ｂと、ボール１３Ａ、１３Ｂを加熱するヒータ１３１と、振動装置１２１Ａ、１２１Ｂと、を備える。また、美容装置は、電池（電源）１１１と、電池１１１からの電力供給を受けてヒータ１３１および振動装置１２１Ａ、１２１Ｂを駆動する駆動回路基板１１２と、を備える。ハンドル１０は、使用時にユーザにより把持される把持部１１と、一対のボール１３Ａ、１３Ｂそれぞれを支持する支持部１２Ａ、１２Ｂと、を有する。
【００１１】
把持部１１は、合成樹脂等から形成され、外形が略Ｙ字状の箱体である。把持部１１の一部には、ヒータ１３１および振動装置１２１Ａ、１２１Ｂをオンオフさせるための電源スイッチ１４が設けられている。ユーザが把持部１１を把持すると、電源スイッチ１４はユーザの掌等により押下されオン状態となる。
【００１２】
支持部１２Ａ、１２Ｂは、一端部にボール１３Ａ、１３Ｂが回転自在に設けられ、他端部が把持部１１に揺動自在に支持されている。支持部１２Ａは、図２に示すように、把持部１１に防振部材１７を介して固定されている。防振部材１７は、ゴム等の弾性材料から形成されており、支持部１２Ａの振動の把持部１１への伝達が抑制されている。支持部１２Ｂも支持部１２Ａと同様に防振部材１７を介して把持部１１に固定されている。
【００１３】
ボール１３Ａ、１３Ｂは、等方性高密度黒鉛から形成され、略球状である。ボール１３Ａ、１３Ｂは、例えば文献：特開２０１２−１００７７７号公報に記載の「炭素成形体」の製造方法と同様の製造方法により作製される。ボール１３Ａ、１３Ｂは、図１に示すように、それぞれ回転軸Ｊ１１、Ｊ１２周りに回転自在である。ボール１３Ａは、一部にボールの回転軸Ｊ１１に沿って窪んだ窪み部１３２Ａを有する。ボール１３Ａは、窪み部１３２Ａの開口端部において軸受１５を介して支持部１２Ａに固定されている。また、ボール１３Ｂも、ボール１３Ａと同様の構造を有し、軸受を介して支持部１２Ｂに固定されている。
【００１４】
ヒータ１３１は、ボール１３Ａを予め設定された基準温度以上の温度まで加熱する。基準温度は、例えば３７℃±１℃に設定される。ヒータ１３１は、ＰＴＣ（Positive Temperature Coefficient）サーミスタ等の自動温度調節機能を有する定温度発熱体から構成されている。なお、ヒータ１３１としては、例えば抵抗ヒータと抵抗ヒータの周囲に配置されるＰＴＣサーミスタとの直列回路から構成されていてもよい。ヒータ１３１が自動温度調節機能を有するＰＴＣサーミスタを用いて構成されていることにより、駆動回路基板１１２に温度制御機能を設ける必要がない。従って、駆動回路基板１１２の構成の簡素化できるという利点がある。また、ヒータ１３１は、図２に示すように、ボール１３Ａの窪み部１３２Ａの内側に配置されている。これにより、ヒータ１３１で発生した熱をロータ１３Ａに効率良く伝達させることができるので、駆動回路基板１１２からヒータ１３１へ供給される電力の損失を低減できる。
【００１５】
振動装置１２１Ａ、１２１Ｂは、図１に示すように、ハンドル１０の支持部１２Ａ、１２Ｂそれぞれの内部に配置されている。振動装置１２１Ａは、図２に示すように、モータ１２２と、偏心錘１２３と、ケーシング１２４と、を備える。偏心錘１２３は、モータ１２２のシャフト１２２ｂに固定されている。モータ１２２の本体部１２２ａは、ケーシング１２４に固定されている。ケーシング１２４は、固定部材１６を介して支持部１２Ａに固定されている。固定部材１６は、ゴムに比べて剛性の高い樹脂材料等から形成されている。モータ１２２が動作すると、シャフト１２２ｂに固定された偏心錘１２３が回転して振動が発生する。この振動装置１２１Ａで発生した振動は、固定部材１６および支持部１２Ａを介してボール１３Ａに伝達してボール１３Ａが振動する。振動装置１２１Ｂも振動装置１２１Ａと同様の構成であり、振動装置１２１Ｂで発生した振動がボール１３Ｂに伝達してボール１３Ｂが振動する。一方、支持部１２Ａ、１２Ｂと把持部１１との間には、防振部材１７が介在していることにより、振動装置１２１Ａ、１２１Ｂで発生した振動が把持部１１へ伝達しにくくなっている。これにより、美容装置の使用時において、把持部１１の振動によりユーザへ与える不快感を低減することができる。
【００１６】
駆動回路基板１１２は、ヒータ１３１を駆動するヒータ駆動回路（ヒータ駆動部）１１２ａと、振動装置１２１Ａを駆動する振動装置駆動回路（振動装置駆動部）１１２ｂと、を有する。ヒータ駆動回路１１２ａは、支持部１２Ａの内側に敷設された電力供給線Ｌ１を介してヒータ１３１に接続されている。また、振動装置駆動回路１１２ｂは、電力供給線Ｌ２１、Ｌ２２を介して振動装置１２１Ａ、１２１Ｂに接続されている。ヒータ駆動回路１１２ａは、電池１１１から入力される電圧を昇圧または降圧してヒータ１３１へ出力するＤＣ−ＤＣコンバータから構成される。また、振動装置駆動回路１１２ｂも、電池１１１から入力される電圧を昇圧または降圧して振動装置１２１Ａ、１２１Ｂへ出力するＤＣ−ＤＣコンバータから構成される。電源スイッチ１４は、電池１１１からヒータ駆動回路１１２ａおよび振動装置駆動回路１１２ｂへの電力供給路に介挿されている。
【００１７】
次に、本実施の形態に係る美容装置の使用方法について説明する。まず、美容装置のハンドル１０の把持部１１を把持する。すると、電源スイッチ１４が押下されてオン状態となりヒータ１３１および振動装置１２１Ａ、１２１Ｂが作動する。これにより、ボール１３Ａが基準温度以上の温度に加熱されるとともに、ボール１３Ａ、１３Ｂの両方が振動する。そして、ボール１３Ａ、１３Ｂを肌に押し当てた状態で美容装置を図１の矢印ＡＲ２で示す方向へ往復させる。これにより、加熱されたボール１３Ａから放射される遠赤外線により肌を暖めるとともに肌に振動を与えながら、肌の押圧と摘まみ上げとを繰り返し行うことができる。
【００１８】
以上説明したように、本実施の形態に係る美容装置によれば、ボール１３Ａが等方性高密度黒鉛から形成され、ヒータ１３１がボール１３Ａを温める。これにより、ボール１３Ａを肌に押し当てた状態で肌の表面上を往復させることにより、ボール１３Ａから放射される遠赤外線により肌を温めながら肌のマッサージを行うことができる。従って、肌の血行を促進する効果を高めることができる。
【００１９】
（実施の形態２）
本実施の形態に係る美容装置は、ボール（第１接触部）１３Ａを加熱するヒータ１３１に加えてボール（第２接触部）１３Ｂを冷却するクーラを備えるものであり、冷却されたボール１３Ｂを肌に接触させることにより肌に冷感を与えることができるものである。
【００２０】
この美容装置は、図３に示すように、クーラ２３２と、クーラ２３２から排出される熱を外部へ放出するためのヒートシンク２１８と、を備える。なお、図３において、実施の形態１と同様の構成については同一の符号を付している。美容装置の駆動回路基板２１２は、電池１１１からの電力供給を受けてクーラ２３２を駆動する。このように美容装置がヒートシンク２１８を備えることにより、クーラ２３２から排出される熱の美容装置内への蓄積が防止され、クーラ２３２によるボール１３Ｂの冷却効率が向上するという利点がある。
【００２１】
ハンドル２１０は、把持部１１と、支持部１２Ａ、２１２Ｂと、を有する。支持部２１２Ｂの一部には、ヒートシンク２１８の一部を露出させるための窓部２１２ａが形成されている。把持部１１の一部には、ヒータ１３１が動作した状態とクーラ２３２が動作した状態とのいずれかに切り替えるためのスライド式の切替スイッチ２１４が設けられている。切替スイッチ２１４の摘まみ部２１４ａを図３の上側にスライドさせると、ヒータ１３１が動作する状態になり、摘まみ部２１４ａを図３の下側にスライドさせると、クーラ２３２が動作する状態になる。図３は、クーラ２３２が動作する状態を示している。
【００２２】
ボール１３Ｂは、図４に示すように、一部にボール１３Ｂの回転軸Ｊ１２に沿って窪んだ窪み部１３２Ｂを有する。なお、図４において、実施の形態１と同様の構成については同一の符号を付している。また、支持部２１２Ｂの先端部には、窪み部１３２Ｂとヒートシンク２１８との間での伝熱を遮蔽するための断熱部材２１９が配置されている。
【００２３】
クーラ２３２は、図３に示すように、ヒータ１３１により加熱されるボール（第１ボール）１３Ａを除く他のボール１３Ｂを冷却する。クーラ２３２は、図４に示すように、ペルチェ素子２３２ａと、伝熱部２３２ｂと、を有する。ペルチェ素子２３２ａは、２種類の金属または半導体の接合部に電流が流されることにより、熱の偏りが生じるというペルチェ効果を利用した平板状の熱電変換素子である。このペルチェ素子２３２ａとしては、例えば電流が流された際の吸熱部２３２ｃと発熱部２３２ｄとの温度差が３０℃程度となるものを採用することができる。伝熱部２３２ｂは、銅等の金属やグラファイトから棒状に形成されている。この伝熱部２３２ｂは、ボール１３Ｂの窪み部１３２Ｂの内側に配置され、ペルチェ素子２３２ａの吸熱部２３２ｃに一部が接触している。これにより、ペルチェ素子２３２ａの吸熱部２３２ｃは、ボール１３Ｂと伝熱部２３２ｂおよび窪み部１３２Ｂ内に存在する空気を介して熱的に結合している。また、伝熱部２３２ｂがボール１３Ｂの窪み部１３２Ｂの内側に配置されていることにより、ボール１３Ｂの熱を伝熱部２３２ｂへ効率良く伝達させることができる。従って、駆動回路基板２１２からペルチェ素子２３２ａへ供給される電力の損失を低減できる。
【００２４】
ヒートシンク２１８は、銅等の金属やグラファイトから形成され、ペルチェ素子２３２ａの発熱部２３２ｄに接触し一部が外部に露出している。また、ヒートシンク２１８とペルチェ素子２３２ａの発熱部２３２ｄとの接触部分近傍には、ペルチェ素子２３２ａの吸熱部２３２ｃの温度制御用のサーミスタ（図示せず）が配置されている。なお、ヒートシンク２１８は、例えば膨張黒鉛から形成された黒鉛シートを積層してなる積層体から構成されていてもよい。
【００２５】
駆動回路基板２１２は、ヒータ駆動回路１１２ａと、振動装置駆動回路１１２ｂと、クーラ駆動回路（クーラ駆動部）１１２ｃと、を有する。クーラ駆動回路１１２ｃは、電池１１１からの電力供給を受けてクーラ２３２を駆動する。クーラ駆動回路１１２ｃは、支持部１２Ｂの内側に敷設された電力供給線Ｌ３を介してペルチェ素子２３２ａに接続されている。クーラ駆動回路１１２ｃは、電池１１１から入力される電圧を昇圧または降圧してペルチェ素子２３２ａへ出力するＤＣ−ＤＣコンバータと、ＤＣーＤＣコンバータのオンオフを制御する制御回路と、から構成される。制御回路は、ペルチェ素子２３２ａの吸熱部２３２ｃの温度制御用のサーミスタの抵抗値に基づいて、ＤＣ−ＤＣコンバータをオンオフ制御することにより、吸熱部２３２ｃの温度を例えば８℃から２０℃の温度範囲に維持する。
【００２６】
切替スイッチ２１４は、電源スイッチ１４がオン状態の場合、電池１１１の高電位側の出力端を、ヒータ駆動回路１１２ａの高電位側の入力端とクーラ駆動回路１１２ｃの高電位側の入力端とのいずれかに電気的に接続するように設けられている。これにより、切替スイッチ２１４は、ユーザによりスライド操作がなされることにより、電池１１１の電力供給先をヒータ駆動回路１１２ａとクーラ駆動回路１１２ｃとのいずれかに切り替える。
【００２７】
次に、本実施の形態に係る美容装置の使用方法について説明する。切替スイッチ２１４の摘まみ部２１４ａを図３の上側にスライドさせた状態で、美容装置のハンドル１０の把持部１１を把持する。すると、電源スイッチ１４がオンし、ヒータ１３１および振動装置１２１Ａ、１２１Ｂが作動する。一方、切替スイッチ２１４の摘まみ部２１４ａを図３の下側にスライドさせた状態で、美容装置のハンドル１０の把持部１１を把持する。すると、電源スイッチ１４がオンし、クーラ２３２および振動装置１２１Ａ、１２１Ｂが作動する。これにより、ボール１３Ｂが冷却されるとともに、ボール１３Ａ、１３Ｂの両方が振動する。そして、ボール１３Ａ、１３Ｂを肌に押し当てた状態で美容装置を図３の矢印ＡＲ２で示す方向へ往復させる。これにより、冷却されたボール１３Ｂにより肌を冷やしつつ肌に振動を与えながら、肌の押圧と摘まみ上げとを繰り返し行うことができる。
【００２８】
以上説明したように、本実施の形態に係る美容装置は、ボール１３Ｂを冷却するクーラ２３２を備える。これにより、ボール１３Ｂを肌に押し当てた状態で肌の表面上を往復させることにより、ボール１３Ｂにより肌を冷やしつつ肌のマッサージを行うことができる。従って、例えば夏場の暑い時期に美容装置が使用される場合、ユーザの肌に冷感を与えることによりユーザが快適にマッサージを行うことができるという利点がある。
【００２９】
（実施の形態３）
本実施の形態に係る美容装置は、実施の形態１で説明した美容装置と同様にヒータ１３１を備える構成であり、ヒータ１３１へ電力を供給する非接触給電モジュールを備える。
【００３０】
この美容装置は、図５に示すように、受電部３３２と給電部３３３とを有する非接触給電モジュール３３０を備える。なお、図５において、実施の形態１と同様の構成については図１と同一の符号を付している。また、ヒータ１３１は、伝熱部材３３４を介してボール１３Ａに固定されている。伝熱部材３３４は、窪み部１３２Ａの内壁とヒータ１３１の外面との間の領域を埋めるように設けられている。伝熱部材３３４は、例えばシリコーン系樹脂や金属フィラーを含む接着剤等から構成されている。これにより、実施の形態１に係る美容装置のように窪み部１３２Ａの内壁とヒータ１３１の外面との間に空隙を有する構成に比べてヒータ１３１とボール１３Ａとの熱的な結合強度を強くすることができる。
【００３１】
非接触給電モジュール３３０は、いわゆる電磁誘導方式で給電する。給電部３３３は、ヒータ駆動部１１２ａから供給される電力を受電部３３２へ非接触で供給する。給電部３３３は、図６に示すように、ヒータ駆動回路１１２ａに接続されたインバータ回路３３３ａと、インバータ回路３３３ａから交流が供給されるコイルＬ３０１と、を有する。インバータ回路３３３ａは、ヒータ駆動回路１１２ａから供給される直流を交流に変換してコイルＬ３０１へ出力する。
【００３２】
受電部３３２は、ヒータ１３１に電気的に接続され受電した電力をヒータ１３１へ供給する。受電部３３２は、コイルＬ３０１と磁気的にカップリングするコイルＬ３０２と、コイルＬ３０２に並列に接続された共振用コンデンサＣ１と、整流回路ＢＲと、平滑用コンデンサＣ２と、を有する。コンデンサＣ２の両端間には、ヒータ１３１が接続される。コイルＬ３０１で生じた交流は、整流回路ＢＲで整流され平滑用コンデンサＣ２で平滑化される。
【００３３】
以上説明したように、本実施の形態に係る美容装置は、受電部３３２に接続されたヒータ１３１を支持部１２Ａに固定された給電部３３３に対して回転させることができる。これにより、ヒータ１３１をボール１３Ａに伝熱部材３３４を介して固定させることができるので、ヒータ１３１とボール１３Ａとの熱的な結合強度を強くすることができる。従って、ヒータ１３１からボール１３Ａへの伝熱効率が向上するので、ヒータ１３１での消費電力の低減を図ることができるという利点がある。
【００３４】
（実施の形態４）
本実施の形態に係る美容装置は、クーラ４３２を備える構成であり、クーラ４３２へ電力を供給する非接触給電モジュールと、クーラ４３２から排出される熱を外部へ放出するための冷却用のファンと、を備える。
【００３５】
この美容装置は、図７に示すように、受電部４３３と給電部４３４とを有する非接触給電モジュール４３０と、冷却用のファン４３５と、を備える。なお、図７において、実施の形態２と同様の構成については図３と同一の符号を付している。クーラ４３２は、ペルチェ素子２３２ａと伝熱部４３２ｂとを備える。クーラ４３２は、伝熱部４３２ｂの一部がボール１３Ｂの窪み部１３２Ｂの内壁に面接触した状態でボール１３Ｂに固定されている。伝熱部４３２ｂは、銅等の金属やグラファイトから形成されている。これにより、実施の形態２に係る美容装置のように窪み部１３２Ａの内壁と伝熱部２３２ｂの外面との間に空隙を有する構成に比べて伝熱部２３２ｂとボール１３Ｂとの熱的な結合強度を強くすることができる。
【００３６】
受電部４３３は、クーラ４３２に電気的に接続され受電した電力をクーラ４３２へ供給する。給電部４３４は、クーラ駆動部１１２ｃから供給される電力を受電部４３３へ非接触で供給する。受電部４３３および給電部４３４の回路構成は、それぞれ図６に示す受電部３３２および給電部３３３の回路構成と同様である。そして、非接触給電モジュール４３０は、図６に示す回路図において、ヒータ１３１をペルチェ素子２３２ａに置き換え、ヒータ駆動回路１１２ａをクーラ駆動回路１１２ｃに置き換えた構成に相当する。
【００３７】
受電部４３３は、図８に示すように、略円盤状のペルチェ素子２３２ａを囲繞するように配設された略円環状の形状を有する。そして、受電用のコイルＬ４２２は、受電部４３３の周方向に沿って配置されている。受電部４３３は、ペルチェ素子２３２ａと共に、軸Ｊ１２周りに回転する。一方、給電部４３４のコイル（図示せず）は、その中心軸がコイルＬ４２２の中心軸と略一致するように配置されている。
【００３８】
ファン４３５は、小型の軸流ファンから構成され、図７に示すように、クーラ駆動回路１１２ｃから電力供給を受けて動作し、ペルチェ素子２３２ａの発熱部２３２ｄへ送風するように配置されている。ファン４３５は、支持部４１２Ｂの一部に設けられた開口部４１２ｂに取り付けられている。支持部４１２Ｂにおける開口部４１２ｂに対向する部位には、通気孔４１２ａが設けられている。ファン４３５から吐出される空気は、ペルチェ素子２３２ａの発熱部２３２ｄ近傍を通って通気孔４１２ａへ流れる。これにより、ペルチェ素子２３２ａの発熱部２３２ｄは、ファン４３５から吐出される空気と熱交換することにより冷却される。
【００３９】
以上説明したように、本実施の形態に係る美容装置は、ヒートシンクを備えない構成であるので、軽量化を図ることができるという利点がある。また、クーラ４３２の伝熱部４３２ｂとボール１３Ｂとの熱的な結合強度を強くすることができるので、ボール１３Ｂから伝熱部４３２ｂへの伝熱効率が向上し、ひいてはクーラ４３２での消費電力の低減を図ることができるという利点がある。
【００４０】
（実施の形態５）
本実施の形態に係る美容装置は、ヒータを備えておらず、ボールの表面にブラスト処理が施されており、その表面に人工酵素を主成分とする消臭剤が吸着している点で実施の形態１に係る美容装置と相違する。この美容装置は、図９Ａに示すように、ハンドル１０と、一対のボール３１３Ａ、３１３Ｂと、振動装置１２１Ａ、１２１Ｂと、を備える。なお、図９Ａにおいて、実施の形態１と同様の構成については、図１と同一の符号を付している。また、美容装置は、電池（電源）１１１と、電池１１１からの電力供給を受けて振動装置１２１Ａ、１２１Ｂを駆動する駆動回路基板３１２と、を備える。
【００４１】
ボール３１３Ａ、３１３Ｂは、実施の形態１に係るボール１３Ａ、１３Ｂと同様に、等方性高密度黒鉛から形成され、略球状である。ボール３１３Ａ、３１３Ｂの表面は、ブラスト処理が施されており、図９Ｂに示すように、微細な凹凸が形成されている。そして、図９Ｂにドット部分として示されているように、ボール３１３Ａ、３１３Ｂの表面の微細な窪み部分に人工酵素を主成分とする消臭剤３１３２が吸着している。消臭剤３１３２としては、例えば文献：特開昭５６−６３３５５号公報に記載のフタロシアニン系の消臭剤を採用することができる。また、消臭材として、オリエント化学工業株式会社製の消臭材「デオラーゼ（登録商標）」を採用してもよい。
【００４２】
本実施の形態に係る美容装置によれば、ボール３１３Ａ、３１３Ｂの表面に人工酵素を主成分とする消臭剤が吸着しているので、ボール３１３Ａ、３１３Ｂの消臭効果を得ることができる。
【００４３】
［変形例］
以上、本発明の実施の形態について説明したが、本発明は前述の実施の形態の構成に限定されるものではない。例えば、実施の形態１に係る美容装置において、ヒータが一対のボール１３Ａ、１３Ｂそれぞれの内部に配置されていてもよい。
【００４４】
各実施の形態では、２つのボール１３Ａ、１３Ｂ（３１３Ａ、３１３Ｂ）を備える美容装置の例について説明したが、美容装置が備えるボールの数は２つに限定されるものではなく、３つ以上のボールを備えるものであってもよい。或いは、ボールを１つだけ備える構成であってもよい。
【００４５】
各実施の形態では、肌に接触する接触部が略球状のボール１３Ａ、１３Ｂである例について説明したが、接触部の形状はこれに限定されるものではなく、例えば円筒状のローラであってもよい。或いは、ボール１３Ａ、１３Ｂの表面に突起が設けられていてもよい。また、各実施の形態では、ボール１３Ａ、１３Ｂが回転する美容装置の例について説明したが、これに限定されず、ボール１３Ａ、１３Ｂが回転しない構成であってもよい。
【００４６】
各実施の形態では、振動装置１２１Ａ、１２１Ｂを備える美容装置の例について説明したが、これに限らず、振動装置１２１Ａ、１２１Ｂを備えない構成であってもよい。
【００４７】
各実施の形態では、電源として電池１１１を備える構成について説明したが、電源は電池に限定されるものではない。美容装置は、例えばコンセント端子に接続するプラグと、コンセント端子からプラグを介して供給される交流を直流に変換するＡＣ−ＤＣコンバータと、を有する電源回路を備える構成であってもよい。
【００４８】
実施の形態３では、ボール１３Ａの窪み部１３２Ａの内壁とヒータ１３１の外面との間には、伝熱部材３３４が介在している美容装置の例について説明したが、伝熱部材３３４を備える構成に限定されるものではない。例えば、ボール１３Ａの窪み部１３２Ａの寸法をヒータ１３１の外形寸法と略同じに設定し、ヒータ１３１が窪み部１３２Ａの内壁に接触した状態で窪み部１３２Ａに嵌入されている構成であってもよい。本構成によれば、伝熱部材３３４が不要となるので、部品点数の削減を図ることができる。
【００４９】
各実施の形態では、ボール１３Ａ、１３Ｂが等方性黒鉛のみから形成される例について説明したが、ボール１３Ａ、１３Ｂの構造はこれに限定されるものではない。例えば、ボールが、等方性黒鉛からなる略球状の基材の表面に、金属、アクリル樹脂等の合成樹脂またはパールを用いて着色等がなされたボール本体と、ボール本体の表面を被覆するＤＬＣ（Diamond Like Carbon）簿膜と、を有する構成であってもよい。或いは、ボールが、上記基体の表面に金属めっき処理により金属層を形成したものであってもよい。また、ボールが、等方性黒鉛からなる略球状の基材の表面に絵柄や模様を施したものであってもよい。或いは、ボールが、等方性黒鉛からなる略球状の基材の表面に抗菌作用を有する銀が１％程度含まれる合成樹脂を被覆したものであってもよい。本構成によれば、ボールの意匠性、ひいては美容装置全体の意匠性が向上するという利点がある。また、ボール本体の表面がＤＬＣ簿膜でコーティングされている場合、マッサージ時の肌への負担が軽減されるので肌荒れが抑制されるという利点もある。
【００５０】
また、ボールの表面に、ボールの回転軸周りに螺旋状或いはループ状の少なくとも１つの溝が設けられている構成であってもよい。或いは、ボールと回転軸との２つの交点の一方から他方に向かって延長された少なくとも１つの溝が設けられている構成であってもよい。
【００５１】
また、等方性黒鉛からなるボールの表面が、銀イオンを坦持した無機イオン交換体からなる銀系無機抗菌剤（例えば東亞合成株式会社製の銀系無機抗菌剤「ノバロン（登録商標）」）が分散された材料の膜で覆われている構成であってもよい。この銀系無機抗菌剤が分散された材料としては、アクリル樹脂やポリプロピレン樹脂等の樹脂材料を採用することができる。また、コーティング膜に含まれる銀系無機抗菌剤の割合は１％程度にしてもよい。本構成によれば、ボール表面での大腸菌やサルモネラ菌等の菌類の増殖を抑制することができるので、ボール表面を清潔な状態に維持することができるという利点がある。
【００５２】
実施の形態３、４では、ヒータ１３１とクーラ２３２、４３２との両方を備える美容装置の例について説明したが、これに限らず、例えばクーラ２３２、４３２のみを備える美容装置であってもよい。
【００５３】
実施の形態３、４では、非接触給電モジュール３３０、４３０がいわゆる電磁誘導方式で給電するものである例について説明したが、給電方式はこれに限定されるものではない。例えば、いわゆる電界結合方式やいわゆる磁界共鳴方式、いわゆる電波方式で給電する非接触給電モジュールを採用してもよい。
【００５４】
実施の形態５では、等方性黒鉛から形成されたボールの表面にブラスト処理が施されており、その表面に人工酵素を主成分とする消臭剤が吸着している構成について説明したが、これに限らず、ボールの表面がブラスト処理されておらず、消臭剤が吸着していない構成であってもよい。本構成でも、ボールを肌に押し当てた状態で肌の表面上を往復させることにより、ボールから放射される遠赤外線により肌を温めながら肌のマッサージを行うことができる。従って、肌の血行を促進する効果を高めることができる。
【００５５】
各実施の形態では、ボール１３Ａ、１３Ｂが等方性黒鉛から形成されている例について説明したが、これに限らず、例えばボール１３Ａ、１３Ｂが炭素粉末と樹脂材料との複合材料から形成されていてもよい。この複合材料は、例えば炭素粉末を２０乃至６０重量％を含む複合材料または炭素粉末を６０乃至８０重量％含む複合材料を採用することができる。ここにおいて、複合材料に含まれる炭素粉末の平均粒径は、３μｍ乃至１０μｍ程度である。また、樹脂材料としては、例えばポリウレタン、ポリプロピレン、ポリアミド系樹脂、アクリル樹脂が挙げられる。この場合、ボール１３Ａ、１３Ｂは、射出成形法を利用して作製することができる。また、ボール１３Ａ、１３Ｂは、例えば炭素繊維と樹脂材料との混合物を焼結させることにより得られるＣ／Ｃコンポジット（Carbon Fiber Reinforced Carbon Composite）から形成されていてもよい。或いは、ボール１３Ａ、１３Ｂが、異方性黒鉛から形成されていてもよい。
【００５６】
各実施の形態では、２つの支持部１２Ａ、１２Ｂを有するハンドル１０を備える例について説明したが、ハンドルの形状はこれに限定されない。例えば図１０に示すように、ハンドル４０１０が、一対のボール１３Ａ、１３Ｂを支持する１つの支持部４０１２を有する構成であってもよい。なお、図１０において、実施の形態１と同様の構成については図１と同一の符号を付している。支持部４０１２は、一端部にボール１３Ａ、１３Ｂが回転自在に設けられ、他端部が把持部４０１１に揺動自在に支持されている。支持部４０１２は、把持部４０１１に防振部材（図示せず）を介して固定されている。支持部４０１２の内側には、駆動回路基板１１２が駆動する１つの振動装置４１２１が配置されている。振動装置４１２１は、実施の形態１で説明した振動装置１２１Ａ、１２１Ｂと同様の構成である。また、図１１に示すように、ボール３１３Ａ、３１３Ｂの内部にヒータが配置されていない構成であってもよい。なお、図１１において実施の形態５と同様の構成については図９と同一の符号を付している。
【００５７】
各実施の形態では、接触部が球状のボール１３Ａ、１３Ｂまたはボール３１３Ａ、３１３Ｂである例について説明したが、接触部の形状はこれに限定されない。例えば、接触部が多面体形状を有するものであってもよい。また、接触部の大きさは、例えば直径３ｃｍ乃至４．５ｃｍ程度に設定される。
【００５８】
実施の形態１において、基準温度は、３７℃乃至４３℃の範囲に設定してもよい。
【００５９】
以上、本発明の各実施の形態および変形例（なお書きに記載したものを含む。以下、同様。）について説明したが、本発明はこれらに限定されるものではない。本発明は、実施の形態及び変形例が適宜組み合わされたもの、それに適宜変更が加えられたものを含む。各実施の形態および変形例に係る美容装置は、腕、脚、首等のマッサージに適用できる。
【００６０】
本出願は、２０１６年５月２４日に出願された日本国特許出願特願２０１６−１０３５５８号、２０１６年１１月１８日に出願された国際出願ＰＣＴ／ＪＰ２０１６／８４２８９号に基づく。本明細書中に日本国特許出願特願２０１６−１０３５５８号の明細書、特許請求の範囲および図面全体並びに国際出願ＰＣＴ／ＪＰ２０１６／８４２８９号の明細書、請求の範囲および図面全体を参照として取り込むものとする。
【符号の説明】
【００６１】
１０，２１０，４０１０：ハンドル、１１，４０１１：把持部、１２Ａ，１２Ｂ，２１２Ｂ，４１２Ｂ，４０１２：支持部、１３Ａ、１３Ｂ，３１３Ａ，３１３Ｂ：ボール（接触部）、１４：電源スイッチ、１５：軸受、１６：固定部材、１７：防振部材、１１１：電池、１１２，２１２，３１２：駆動回路基板、１１２ａ：ヒータ駆動回路、１１２ｂ：振動装置駆動回路、１１２ｃ：クーラ駆動回路、１２１Ａ、１２１Ｂ，４１２１：振動装置、１２２：モータ、１２２ａ：本体部、１２２ｂ：シャフト、１２３：偏心錘、１２４：ケーシング、１３１：ヒータ、１３２Ａ，１３２Ｂ：窪み部、２１２ａ：窓部、２１４：切替スイッチ、２１４ａ：摘まみ部、２１８：ヒートシンク、２１９：断熱部材、２３２，４３２：クーラ、２３２ａ：ペルチェ素子、２３２ｂ，４３２ｂ：伝熱部、２３２ｃ：吸熱部、２３２ｄ：発熱部、３３０，４３０：非接触給電モジュール、３３２，４３３：受電部、３３３，４３４：給電部、３３４：伝熱部材、４１２ａ：通気孔、４１２ｂ：開口部、４３５：ファン、３１３２：消臭剤、Ｌ１，Ｌ３，Ｌ２１，Ｌ２２：電力供給線、Ｌ３０１，Ｌ３０２，Ｌ４２２：コイル
【図１】
2018038890.tif 000003
【図２】
2018038890.tif 000004
【図３】
2018038890.tif 000005
【図４】
2018038890.tif 000006
【図５】
2018038890.tif 000007
【図６】
2018038890.tif 000008
【図７】
2018038890.tif 000009
【図８】
2018038890.tif 000010
【図９Ａ】
2018038890.tif 000011
【図９Ｂ】
2018038890.tif 000012
【図１０】
2018038890.tif 000013
【図１１】
2018038890.tif 000014